(57)【要約】【課題】自動的に、浄水吐出後の残留水をできるだけ早く原水の残留水に更新して雑菌繁殖の防止を図りながら、更新後の捨て水の無駄を防止し、装置の耐久性も高めることを目的とする。【解決手段】単独の原水源１から原水を導入する入口側流路５と、入口側流路５から分岐する原水側流路６と、入口側流路５から分岐し浄水器２を経由する浄水側流路７と、原水側流路６および浄水側流路７の合流部から吐水管３に至る出口側流路８と、原水側流路６を開閉する止水弁１１と、浄水側流路７を開閉する止水弁１２と、止水弁１１・１２を操作する単独の操作手段９とを備え、操作手段９に、浄水吐出、原水吐出、止水の三切換位置で切換を行う切換用レバー１３を設け、切換用レバー１３の可動範囲は、浄水吐出位置Ｃ１と止水位置Ｎ１とを両端とする範囲とし、浄水吐出位置Ｃ１と止水位置Ｎ１との間に原水吐出位置Ｐ１を設けた。【選択図】  図１
2004324096.tif 000002
【特許請求の範囲】
【請求項１】
単独の原水源から原水を導入する入口側流路と、入口側流路から分岐する原水側流路と、入口側流路から分岐し浄水器を経由する浄水側流路と、原水側流路および浄水側流路の合流部から吐水管に至る出口側流路と、
原水側流路を開閉する原水側流路開閉手段と、浄水側流路を開閉する浄水側流路開閉手段と、各開閉手段を操作する単独の操作手段と、
を備える、ことを特徴とする給水装置。
【請求項２】
第二の原水源と出口側流路とを連通する第二入口側流路と、第二入口側流路を開閉する第二入口側流路開閉手段とを備え、
前記単独の操作手段は第二入口側流路開閉手段の操作手段を兼用する、
ことを特徴とする請求項１に記載の給水装置。
【請求項３】
原水側流路開閉手段および浄水側流路開閉手段の操作手段に、浄水吐出、原水吐出、止水の三切換位置で切換を行う切換用レバーを設け、
切換用レバーの可動範囲は、浄水吐出位置と止水位置とを両端とする範囲とし、浄水吐出位置と止水位置との間に原水吐出位置を設けた、
ことを特徴とする請求項１または請求項２に記載の給水装置。
【請求項４】
原水側流路開閉手段および浄水側流路開閉手段を、電磁式アクチュエータを用いて構成すると共に、
前記操作手段の操作による信号出力に基づいて、原水側流路開閉手段および浄水側流路開閉手段を作動させる制御回路を設けると共に、該制御回路に制御手順を記憶するメモリを備え、
該制御回路は、浄水吐出後に止水を指令する信号を受けた場合には、前記制御手順に従って、まず浄水側流路開閉手段に浄水側流路の閉鎖指令を出力し、次に原水側流路開閉手段に原水側流路の開放指令を出力した後、一定時間経過後に、原水側流路開閉手段に原水側流路の閉鎖指令を出力する、
ことを特徴とする請求項１または請求項２に記載の給水装置。
【請求項５】
原水側流路開閉手段および浄水側流路開閉手段を、入口側流路が原水側流路および浄水側流路に分岐する部位に設ける、単一の方向制御弁で構成すると共に、
該方向制御弁に、原水吐出、浄水吐出、止水の三切換位置を切換可能に可動する弁体を設け、該弁体の可動範囲を浄水吐出位置と止水位置とを両端とし、浄水吐出位置と止水位置との間に原水吐出位置を設けた、
ことを特徴とする請求項１または請求項２に記載の給水装置。
【請求項６】
前記浄水器を備える、
ことを特徴とする請求項１から請求項５のいずれかに記載の給水装置。
【発明の詳細な説明】
【０００１】
【発明の属する技術分野】
本発明は、単一の吐水管により、水道水等の原水源からの原水を給水すると共に、該原水を浄水器を介して浄化した浄水を給水可能とする給水装置に関する。
【０００２】
【従来の技術】
従来より、単一の吐水管（蛇口）より、水道水等の原水と、原水を浄水器により処理した浄水とを、吐出可能とした構成の給水装置が公知である。このような給水装置には、水道管等の原水源からの原水を、直接吐水管へ供給する流路と、浄水器を経由して吐水管に供給する流路とが形成され、この流路切換および流路の閉止を行うための流路切換弁が備えられている。そして、このような給水装置は、単一の吐水管より、原水または浄水を吐出できる構成となっている。
【０００３】
以上構成の給水装置において、止水時には、吐水管から浄水器や流路切換弁までの配管内に、滞留水が発生する。原水を吐出した後には、原水が滞留水として残留し、浄水を吐出した後には、浄水が滞留水として残留する。
ここで、浄水器は、原水に含まれる異臭の原因となる臭気成分を取り除くと共に、雑菌の繁殖を防止する残留塩素をも除去する。つまり、浄水器通過後の浄水には、雑菌の繁殖を防止する作用がない。
このため、浄水の吐出後に止水を行い、つまり前記滞留水が浄水である状態で、長時間が経過すると、この滞留水中で雑菌が繁殖しやすくなる。特に、吐水管は、ユーザが指等を接触させやすい部位であると共に、外気との接触部である。したがって、外部の雑菌が、吐水管より上流側の配管内の滞留水に到達しやすく、雑菌の繁殖が発生しやすい。そして、この滞留水に雑菌が発生すると、浄水器の内部においても雑菌が繁殖してしまうことになる。
【０００４】
そこで、このような不具合を防止するため、一定時間毎に給水装置を駆動させて、滞留水を捨て水として排出し、滞留水の更新を行うようにした技術が知られている。例えば、特許文献１に開示される技術である。
該技術においては、流路の切換弁を電磁式とし、電子制御により切換弁の開閉を行うように構成して、自動的に一定時間毎に原水の吐出を行うものである。そして、吐水管より上流側の配管内に、浄水が長時間残留することを防止し、浄水器内部やその下流側の配管内での雑菌の繁殖を、防止している。
【０００５】
【特許文献１】
特開２００２−１５５５５５号公報
【０００６】
【発明が解決しようとする課題】
特許文献１に開示される技術では、原水を吐出するタイミングは、常に一定時間毎となっている。ここで、ユーザが浄水の吐出を行った後、次の原水吐出タイミングが訪れるまでは、前記配管内に浄水が滞留したままとなる。
そして、浄水の滞留する時間をできるだけ短縮しようとすれば、原水の吐出間隔である前記一定時間の時間幅を短縮することが考えれられるが、これは捨て水の量を増大させると共に、電磁式とした切換弁や電子制御機構を頻繁に駆動させて、装置の耐久性を損なうものとなる。
また、滞留水の更新は、残留塩素の除かれた浄水が滞留している場合に必要なことであって、原水が滞留している場合には、雑菌繁殖の防止の点からは、更新の必要性は低いものである。つまり、原水が滞留した状態であるならば、一定時間毎に原水を吐出して、残留水の更新を図る必要性は必ずしもない。原水が滞留している場合には、残留塩素の作用を期待できるためである。したがって、浄水の吐出後に原水を一度吐出してやれば、雑菌繁殖の防止を図ることができる。
そこで本発明は、自動的に、浄水吐出後の残留水をできるだけ早く原水の残留水に更新して雑菌繁殖の防止を図りながら、更新後の捨て水の無駄を防止し、装置の耐久性も高めることを目的とする。
【０００７】
【課題を解決するための手段】
本発明の解決しようとする課題は以上の如くであり、次に該課題を解決するための手段を説明する。
即ち、請求項１においては、単独の原水源から原水を導入する入口側流路と、入口側流路から分岐する原水側流路と、入口側流路から分岐し浄水器を経由する浄水側流路と、原水側流路および浄水側流路の合流部から吐水管に至る出口側流路と、
原水側流路を開閉する原水側流路開閉手段と、浄水側流路を開閉する浄水側流路開閉手段と、各開閉手段を操作する単独の操作手段と、
を備えるものである。
【０００８】
請求項２においては、第二の原水源と出口側流路とを連通する第二入口側流路と、第二入口側流路を開閉する第二入口側流路開閉手段とを備え、
前記単独の操作手段は第二入口側流路開閉手段の操作手段を兼用するものである。
【０００９】
請求項３においては、原水側流路開閉手段および浄水側流路開閉手段の操作手段に、浄水吐出、原水吐出、止水の三切換位置で切換を行う切換用レバーを設け、
切換用レバーの可動範囲は、浄水吐出位置と止水位置とを両端とする範囲とし、浄水吐出位置と止水位置との間に原水吐出位置を設けたものである。
【００１０】
請求項４においては、原水側流路開閉手段および浄水側流路開閉手段を、電磁式アクチュエータを用いて構成すると共に、
前記操作手段の操作による信号出力に基づいて、原水側流路開閉手段および浄水側流路開閉手段を作動させる制御回路を設けると共に、該制御回路に制御手順を記憶するメモリを備え、
該制御回路は、浄水吐出後に止水を指令する信号を受けた場合には、前記制御手順に従って、まず浄水側流路開閉手段に浄水側流路の閉鎖指令を出力し、次に原水側流路開閉手段に原水側流路の開放指令を出力した後、一定時間経過後に、原水側流路開閉手段に原水側流路の閉鎖指令を出力するものである。
【００１１】
請求項５においては、原水側流路開閉手段および浄水側流路開閉手段を、入口側流路が原水側流路および浄水側流路に分岐する部位に設ける、単一の方向制御弁で構成すると共に、
該方向制御弁に、原水吐出、浄水吐出、止水の三切換位置を切換可能に可動する弁体を設け、該弁体の可動範囲を浄水吐出位置と止水位置とを両端とし、浄水吐出位置と止水位置との間に原水吐出位置を設けたものである。
【００１２】
請求項６においては、給水装置は、前記浄水器を備えるものである。
【００１３】
【発明の実施の形態】
本発明の給水装置の実施の形態について図面を用いて説明する。
以下で、第一から第四の実施の形態である給水装置１０・２０・３０・４０を用いて説明する。
給水装置１０・２０・３０は、単一の原水源１（一本の水道管）から原水が供給されるのに対し、給水装置４０は複数の原水源より原水が供給される。複数の原水とは、例えば、水道管からの冷水と、水道水が給湯器２８を経て加温された温水と、を意味する。
また、給水装置１０・２０・３０においては、装置の操作手段の構成や、装置内の流路を開閉する手段の構成や、この開閉手段の制御回路の構成が、互いに相違するものとなっている。
以下、順に説明する。
【００１４】
図１を用いて、第一の実施の形態である給水装置１０を説明する。
給水装置１０は、水道管等の原水源１と、原水の浄化手段である浄水器２とに接続され、原水源１から原水（水道水）の供給を受けると共に、浄水器２で原水を浄化して浄水を生成する。原水源１とした水道管上には、止水弁４が設けられており、止水弁４の手動操作により、給水装置１０への原水供給および供給停止が切換られる。
また、給水装置１０には単一の吐水管（蛇口）３が備えられ、原水源１からの原水と、浄水器２を経て浄化された浄水とが、共に吐水管３より吐水される。
【００１５】
給水装置１０には、原水源１と、浄水器２と、吐水管３とを接続する流路（配管）が設けられている。そして、これらの配管を連結して、原水源１から吐水管３に原水を供給する経路（原水吐出時経路）と、原水源１から浄水器２を経て吐水管３に浄水を供給する経路（浄水吐出時経路）とが、形成されている。
【００１６】
給水装置１０内に設けられる各流路は、具体的には、次に列挙するものからなる。
まず、原水源１から原水を給水装置１０に導入するための入口側流路５である。
次いで、入口側流路５から分岐する、原水側流路６と浄水側流路７とである。浄水側流路７上には浄水器２が設けられており、浄水側流路７の上流側から導入された原水は、浄水器２を経由して浄化され、浄水側流路７の下流側から浄水が吐水される。
また、原水側流路６および浄水側流路７の合流部から吐水管３に至る出口側流路８である。ここで、出口側流路８より下流側、つまり出口側流路８および吐水管３の内部は、原水および浄水のいずれもが通過する経路となっている。
【００１７】
以上において、前記原水吐出時経路（原水を吐出する経路）は、原水源１より、入口側流路５、原水側流路６、出口側流路８を経て、吐水管３に至る経路として形成されている。
同じく、前記浄水吐出時経路（浄水を吐出する経路）は、原水源１より、入口側流路５、浄水側流路７、出口側流路８を経て、吐水管３に至る経路として形成されている。前述したように、浄水吐出時経路７上には浄水器２が設けられており、浄水吐出時経路７に導入された原水は、浄水として吐水管３より吐出される。
【００１８】
また、給水装置１０には、吐水管３からの原水吐出および浄水吐出と、止水とを切換える手段が設けられている。
この切換手段は、原水側流路６を開閉する原水側流路開閉手段と、浄水側流路７を開閉する浄水側流路開閉手段と、からなっている。
両開閉手段は、本実施の形態では、電磁式の止水弁（流量制御弁）１１・１２で構成される。止水弁１１・１２は、操作手段９（後述）の操作に基づき、制御回路１４（後述）からの駆動信号を受けて、それぞれ原水側流路６、浄水側流路７の開閉を行う。
なお、止水弁１１・１２は、流量制御弁ではなく、電磁式の２ポート２位置切換弁としてもよい。
【００１９】
止水弁１１・１２による、原水吐出、浄水吐出、止水の切換は、次のようにして行われる。
止水弁１１により原水側流路６を開放し、止水弁１２により浄水側流路７を閉鎖させると、原水吐出時経路のみが連通して、吐水管３より原水が吐水される。一方、止水弁１１により原水側流路６を閉鎖させて、止水弁１２により浄水側流路７を開放すると、浄水吐出時経路のみが連通して、吐水管３より浄水が吐水される。また、止水弁１１・１２により原水側流路６と浄水側流路７の双方を閉鎖すると、原水吐出時経路および浄水吐出時経路が遮断されて、吐水管３からの吐水が停止（つまり止水）される。
【００２０】
また、原水吐出時に、浄水器２の出口側（吐出側）からの原水の流入を防止するため、浄水器２と流路６・７・８の合流部との間で、浄水側流路７上に、逆止弁１５が設けられている。逆止弁１５は、浄水器２から下流側への浄水の吐出は許容するが、下流側から浄水器２へと向かう原水の流入は遮断する。
【００２１】
給水装置１０には、止水弁１１・１２を統括操作する単独の操作手段９が設けられており、該操作手段９は、吐水管３（蛇口）の配管上もしくは、給水装置１０を設ける室内の壁面等に配置される。
操作手段９には、浄水吐出、原水吐出、止水の三切換位置で切換を行う切換用レバー１３が設けられている。切換用レバー１３は回動式で構成され、その回動位置に応じて、浄水吐出位置Ｃ１、原水吐出位置Ｐ１、止水位置Ｎ１が設定されている。
【００２２】
また、操作手段９と、止水弁１１・１２との間は、制御回路１４を介して信号伝達可能に接続されている。そして、操作手段９の操作により、次のようにして、止水弁１１・１２が作動される。
操作手段９から制御回路１４に向けて、切換用レバー１３の回動位置に応じた切換位置信号が常時出力されている。制御回路１４は、入力される切換位置信号に基づいて、止水弁１１・１２のそれぞれに駆動信号を送信する。つまり、ユーザにより操作手段９が操作されると、制御回路１４に入力される切換位置信号が変化し、その変化に応じて制御回路１４より出力される駆動信号も変化し、止水弁１１・１２の作動が制御される。
【００２３】
また、本実施の形態では、流路６・７の開閉手段を電磁式の止水弁１１・１２とすると共に、操作手段９による止水弁１１・１２の制御機構を、電子回路である制御回路１４としているが、この構成に限定されるものではない。
例えば、流路６・７の開閉手段を電磁式ではなく機械式の止水弁とし、操作手段による機械式止水弁の制御機構を、機械式のリンクで構成してもよい。あるいは、流路６・７の開閉手段を、油圧アクチュエータにより駆動される止水弁とし、制御機構を油圧回路で構成しても良い。
【００２４】
切換用レバー１３が浄水吐出位置Ｃ１にあるときは、制御回路１４より、止水弁１１に向けて原水側流路６の閉鎖を指令する駆動信号が出力され、止水弁１２に向けては浄水側流路７の開放を指令する駆動信号が出力される。そして、吐水管３より浄水が吐出される。
一方、切換用レバー１３が原水吐出位置Ｐ１にあるときは、制御回路１４より、止水弁１１に向けて原水側流路６の開放を指令する駆動信号が出力され、止水弁１２に向けては浄水側流路７の閉鎖を指令する駆動信号が出力される。そして、吐水管３より原水が吐出される。
また、切換用レバー１３が止水切換位置Ｎ１にあるときは、制御回路１４より、止水弁１１に向けて原水側流路６の閉鎖を指令する駆動信号が出力されると共に、止水弁１２に向けても浄水側流路７の閉鎖を指令する駆動信号が出力される。そして、吐出管３が止水される。
【００２５】
給水装置１０の止水時には、給水装置１０に備える配管内に、水が滞留する。水が滞留する部位は、主として浄水器２の下流側の配管内で、吐水管３および出口側流路８である。より正確には、原水側流路６の止水弁１１の下流側、浄水側流路７の逆止弁１５の下流側、出口側流路８、吐水管３の一部に、水が滞留する。
この滞留水が原水である場合は、残留塩素の作用により、吐水管３の外部から侵入した雑菌が、滞留水内部で繁殖することを防止できる。したがって、浄水器２内に雑菌が侵入して繁殖することも防止できる。一方、この滞留水が浄水である場合は、残留塩素が浄水器２で除かれているため、雑菌の繁殖防止効果を期待することができない。
【００２６】
給水装置１０の構成において、出口側流路８および吐水管３は、原水吐出および浄水吐出における兼用の吐出経路となっている。
このため、ユーザが給水装置１０を利用する際に、原水を吐出することがあれば、吐水管３や出口側経路８内の滞留水を原水とでき、装置内（特に浄水器２内）での雑菌の繁殖防止を図れる。また、単独の操作手段９により給水装置１０の操作を行う構成のため、操作が容易である。
【００２７】
一方、原水の利用頻度が低い場合には、次のような不具合がある。
給水装置１０内で、吐出管３と連通する配管内に浄水を滞留させたまま放置しておくと、滞留水内で雑菌が繁殖することがありうる。特に、この残留塩素のない滞留水を放置しておく時間が長くなるほど、雑菌が繁殖する確率が高められることになる。
【００２８】
給水装置１０において、吐出管３と連通する配管内で、原水の吐出頻度に関わらず、浄水の滞留により雑菌が繁殖する不具合を防止するため、次のような構成が操作手段９に設けられている。
この構成は、浄水吐出、原水吐出、止水の三切換位置の配置構成に関するものである。
【００２９】
切換用レバー１３の可動範囲は、浄水吐出位置Ｃ１と止水位置Ｎ１とを両端とする範囲とされている。
加えて、浄水吐出位置Ｃ１と止水位置Ｎ１との間に、原水吐出位置Ｐ１が設けられている。
【００３０】
本実施の形態では、操作手段９の配設状態において、浄水吐出位置Ｃ１は切換用レバー１３を鉛直方向に傾倒させた位置、止水位置Ｎ１は切換用レバー１３を鉛直方向に傾倒させた位置に設定されている。加えて、浄水吐出位置Ｃ１および止水位置Ｎ１で、切換用レバー１３がデテント（戻り止め）機構により位置決めされるものとなっている。つまり、浄水吐出位置Ｃ１および止水位置Ｎ１は、切換用レバー１３の特定の回動位置として、設定されている。
これに対して、原水吐出位置Ｐ１は、切換用レバー１３の特定の回動位置ではなく、特定の回動領域として、設定されている。具体的には、浄水吐出位置Ｃ１から止水位置Ｎ１までの切換用レバー１３の回動範囲がすべて、原水吐出位置Ｐ１として設定されている。したがって、デテントされる浄水吐出位置Ｃ１および止水位置Ｎ１から、わずかでも切換用レバー１３を回動させると、切換用レバー１３は原水吐出位置Ｐ１に位置することになり、吐水管３より原水の吐出が行われる。
【００３１】
このため、浄水を吐出した後に止水を行う際には、切換用レバー１３が必ず原水吐出位置Ｐ１を通過することになり、浄水吐出→原水吐出→止水となって、必ず原水が吐出される。つまり、浄水吐出後に必ず原水吐出が行われて、吐水管３や出口側経路８内の滞留水を原水とできる。したがって、給水装置１０内（特に浄水器２内）での雑菌の繁殖防止を図ることができる。
【００３２】
また、本実施の形態では、切換用レバー１３を回動式としているが、この構成に限定されるものではない。
止水弁１１・１２の操作手段の構成としては、例えば次のようなものであっても良い。操作手段に、直線経路に沿ってスライドするレバーを設け、該直線経路の両端に、浄水吐出位置Ｃ１と止水位置Ｎ１とをそれぞれ配置すると共に、この中間部に浄水吐出位置Ｃ１を配置するものである。このようなスライド式レバーを操作手段に設ける構成としても、前述の回動式レバーの場合と同様の作用・効果を奏するものである。
【００３３】
図２を用いて、第二の実施の形態である給水装置２０を説明する。
給水装置２０は、前記各流路を形成する配管の配置構成や、原水側流路６および浄水側流路７の開閉手段（止水弁１１・１２）の構成は、給水装置１０と同様である。そこで以下では、給水装置１０と比較して同様の部分に関する説明は省略すると共に同一の符号を用いるものとし、相違する部分について説明を行う。
この相違する部分は、一つは、止水弁１１・１２の操作手段１６の構成であり、もう一つは、操作手段１６の操作に基づいて止水弁１１・１２を作動させる制御回路１８の構成である。
【００３４】
操作手段１６は、止水弁１１・１２を統括操作する兼用の操作手段であり、吐水管３（蛇口）の配管上もしくは、給水装置２０を設ける室内の壁面等に配置される。
操作手段１６には、浄水吐出、原水吐出、止水の三切換位置に対応するスイッチ仕組みが設けられている。本実施の形態では、このスイッチ仕組みは、浄水吐出ボタンＣ２、原水吐出ボタンＰ２、止水ボタンＮ２からなる三つの押しボタンを備えている。加えて、この押しボタンは、同時に複数のボタンを押し込むことはできない構成として、三つのうちいずれかのボタンが択一選択されるものとなっている。
【００３５】
操作手段１６と、止水弁１１・１２との間は、制御回路１８を介して信号伝達可能に接続されている。そして、操作手段１６の操作により、次のようにして、止水弁１１・１２が作動する。
操作手段１６から制御回路１８に向けて、前記スイッチ仕組み上のボタン選択状態に応じて、切換信号が出力される。例えば、操作手段１６で止水ボタンＮ２が選択されている（押し込まれている）と、止水を意味する切換信号が制御回路１８に伝達される。
一方、制御回路１８は、入力された切換信号に基づいて、止水弁１１・１２のそれぞれに駆動信号を送信する。つまり、ユーザにより操作手段１６が操作されると、制御回路１８に入力される切換信号が変化し、その変化に応じた駆動信号が制御回路１８より出力されて、止水弁１１・１２が作動する。
【００３６】
浄水吐出ボタンＣ２が選択されているときは、制御回路１８より、止水弁１１に向けて原水側流路６の閉鎖を指令する駆動信号が出力され、止水弁１２に向けては浄水側流路７の開放を指令する駆動信号が出力される。そして、吐水管３より浄水が吐出される。
一方、原水吐出ボタンＰ２が選択されているときは、制御回路１８より、止水弁１１に向けて原水側流路６の開放を指令する駆動信号が出力され、止水弁１２に向けては浄水側流路７の閉鎖を指令する駆動信号が出力される。そして、吐水管３より原水が吐出される。
また、止水ボタンＮ２が選択されているときは、制御回路１８より、止水弁１１に向けて原水側流路６の閉鎖を指令する駆動信号が出力され、止水弁１２に向けても浄水側流路７の閉鎖を指令する駆動信号が出力される。そして、吐出管３が止水される。
【００３７】
ここで、制御回路１８は、操作手段１６において、浄水吐出ボタンＣ２の選択から止水ボタンＮ２の選択に移行した場合には、以下で説明する制御手順５０に従って、止水弁１１・１２の開閉を制御する。
この制御手順５０は、浄水吐出後に、必ず原水を吐出するようにして、前記滞留水が浄水のまま（長時間）放置される不具合を防止するためのものである。
制御回路１８には、制御手順５０を記憶するメモリ１９が備えられている。
【００３８】
図３を用いて、制御手順５０について説明する。
操作手段１６において、浄水吐出ボタンＣ２から止水ボタンＮ２への選択切換が行われると、制御回路１８内での処理が、制御手順５０に基づく処理に移行する（ステップ１００）。
このとき制御回路１８は、まず、止水弁１２に浄水側流路７の閉鎖を指令し、吐水管３からの浄水吐出を止水する（ステップ１０１）。
なお、このとき、止水弁１１により原水側流路６は閉鎖されている。これは、この選択切換の開始前には、浄水吐出ボタンＣ２が選択されているため、止水弁１１が原水側流路６を閉鎖した状態にあるためである。
【００３９】
ステップ１０１の処理が終了すると、制御回路１８は、止水弁１１に原水側流路６の開放を指令し、吐水管３から原水を吐出させる（ステップ１０２）。これにより、浄水からなる前記滞留水を、原水からなる滞留水に更新するものである。
【００４０】
滞留水の更新を確実に行うためには、原水の吐出量が一定以上確保されることが望ましい。そこで、原水の吐出量を確保するため、ステップ１０３の処理が設けられている。
ステップ１０３では、制御回路１８において、止水弁１１による原水側流路６の開放後の経過時間が、所定の一定時間に到達したか否かが、判定される。なお、制御回路１８には、原水側流路６の開放後の経過時間を計測するためのタイマ２１が設けられている。
そして、一定時間が経過すると処理がステップ１０４に進み、制御回路１８は止水弁１１に原水側流路６の閉鎖を指令して、吐水管３からの原水吐出が止水される。また、一定時間が経過しない間は、ステップ１０３における判定処理が継続して行われる。つまり、吐水管３からの原水吐出が継続される。
【００４１】
また、操作手段１６には、前記所定の一定時間を時間幅を調整する手段として、調整ダイヤル２２が設けられている。このため、ユーザは、浄水を吐出した後に止水を行う際の原水吐出量を調整可能である。
また、本実施の形態では、制御回路１８側において、原水吐出量の算定は、前記タイマによる時間計測に基づくものとしているが、原水側流路６上に原水の流量を計測する手段を設けて、原水の吐出量そのものを直接計測する構成であってもよい。
【００４２】
ステップ１０４の処理が終了すると、制御手順５０の一連処理は終了する（ステップ１０５）。
【００４３】
このため、浄水を吐出した後に止水を行う際には、必ず原水吐出が行われて、吐水管３や出口側経路８内の滞留水を原水とできる。加えて、このときの原水吐出時間を一定時間確保することで、原水の吐出量を十分確保することができ、滞留水の更新が確実となる。
【００４４】
また、本実施の形態では、浄水吐出ボタンＣ２から止水ボタンＮ２への選択切換が行われた場合に限り、制御回路１８の処理が、制御手順５０に基づく処理に移行するものとしている。
例えば、このような滞留水更新のための処理手順は、浄水吐出後に限って原水を一定時間（一定量）吐出させる制御に限定されるものではない。止水が行われる場合には常時、滞留水更新のための原水吐出処理を行うような制御として、浄水吐出後か原水吐出後かの判定処理を不要とする手順としても良い。
【００４５】
図４、図５を用いて、第三の実施の形態である給水装置３０を説明する。
給水装置３０は、前記各流路を形成する配管の配置構成は給水装置１０・２０と同様であるが、吐水管３からの原水吐出および浄水吐出と止水とを切換える手段の構成が、給水装置１０・２０とは相違している。詳しくは後述するが、この切換手段は、給水装置３０では、方向制御弁２５により構成されている。
また、方向制御弁２５は、前記操作手段１６の構成の一部を利用した操作手段２３により、切換操作可能である。加えて、操作手段２３の操作に基づいて方向制御弁２５を作動させる制御回路２４の構成は、前記制御回路１４・１８と相違する。
以下では、給水装置１０・２０と同様の部分に関する説明は省略すると共に、同一の符号を用いるものとする。
【００４６】
図４に示すように、給水装置３０には、入口側流路５と、原水側流路６および浄水側流路７との合流部に、電磁式の方向制御弁２５が設けられている。
方向制御弁２５は、入口側流路５と連通する流路を、原水側流路６と浄水側流路７との間で切換えると共に、入口側流路５と流路６・７との連通を遮断する切換が可能に構成されている。
【００４７】
図５を用いて、方向制御弁２５の構成について説明する。
方向制御弁２５は、回動式の円柱状の弁体２６と、該弁体２６を収納する円筒体２７とを備えた３ポート３位置切換弁で構成されている。
図５（ａ）、図５（ｂ）に示すように、方向制御弁２５に備える３ポートとは、入口側流路５・原水側流路６・浄水側流路７にそれぞれ連通する入口側ポート２７ａ・原水側ポート２７ｂ・浄水側ポート２７ｃである。これらのポートは、円筒体２７の内外壁面を貫通する開口として形成される。
【００４８】
図５（ａ）、図５（ｂ）は、それぞれ、弁体２６および円筒体２７において、切断面が軸方向で異なる位置の場合を示している。原水側ポート２７ｂ・浄水側ポート２７ｃは、図５（ａ）上では切断されているのに対し、図５（ｂ）上では紙面に対して手前側に位置し切断されない。一方、入口側ポート２７ａは、図（ａ）上は奥側に位置し切断されないが、図（ｂ）上では切断されている。
また、これらのポートは、本実施の形態では、弁体２６の軸方向より見て９０度毎に配置されている。
【００４９】
また、弁体２６には、原水側ポート２７ｂおよび浄水側ポート２７ｃと、入口側ポート２７ａとを、連通可能とする切換流路２６ａが形成されている。
図５（ａ）に示される断面上では、弁体２６に扇形の切欠き２６ｂが形成されており、この切欠き２６ｂが、切換流路２６ａの一部として構成されている。
この扇形の中心角は、前記ポート間の間隔に対応して９０度となっている。そして、弁体２６の回動により、切換流路２６ａと、原水側ポート２７ｂおよび浄水側ポート２７ｃのいずれか一方とのみが、連通可能である。
また、図５（ｂ）に示される断面上では、弁体２６は中空に形成される（中空部分２６ｃ）と共に、弁体２６の外周部には周方向に沿って等間隔に開口２６ｄが形成されている。そして、中空部分２６ｃおよび開口２６ｄ・２６ｄ・・も、切換流路２６ａの一部として構成されている。
ここで、開口２６ｄ・２６ｄ間の間隔（図５（ｂ）での弁体２６の肉部分）は、入口側ポート２７ａの開口幅よりも狭いものとなっており、入口側ポート２７ａと切換流路２６ａとは、弁体２６の回動位置によらず、常時連通する構成である。
なお、切欠き２６ｂと中空部分２６ｃとは、当然ながら連通している。
【００５０】
また、方向制御弁２５には、弁体２６を回動させる手段として、ステッピングモータが設けられている。このステッピングモータは、後述する制御回路２３からの駆動信号を受けて、弁体２６を回動させる。
【００５１】
弁体２６の回動位置に応じて、浄水吐出、原水吐出、止水の三状態に対応する三つの切換位置が設定されている。この三切換位置は、それぞれ、浄水吐出位置Ｃ３、原水吐出位置Ｐ３、止水位置Ｎ３である。つまり、弁体２６は、原水吐出、浄水吐出、止水の三切換位置を切換可能に可動するものとして、構成されている。
【００５２】
また、これらの三切換位置は、弁体２６の特定の回動位置ではなく、特定の回動領域として設定されている。
具体的には、原水吐出位置Ｐ３は、切欠き２６ｂ（切換流路２６ａ）と原水側ポート２７ｂとが連通する回動範囲（９０度）として、設定されている。同じく、浄水吐出位置Ｃ３は、切欠き２６ｂ（切換流路２６ａ）と浄水側ポート２７ｃとが連通する回動範囲（９０度）として、設定されている。また、止水位置Ｎ３は、切欠き２６ｂ（切換流路２６ａ）が原水側ポート２７ｂと浄水側ポート２７ｃのいずれとも連通しない回動範囲（９０度）として、設定されている。
なお、弁体２６の全回動範囲は２７０度に設定されており、このために、止水位置Ｎ３の回動範囲が９０度となっている。このように弁体２６の回動範囲を３６０度（一回転）より小さくすることで、弁体２６による切換のパターンを制限するものである。これについては詳しくは後述する。
【００５３】
給水装置３０において、方向制御弁２５を切換操作する手段は、単独の操作手段２３としている。
操作手段２３には、浄水吐出、原水吐出、止水の三切換位置に対応する前記スイッチ仕組みが設けられている。浄水吐出ボタンＣ２、原水吐出ボタンＰ２、止水ボタンＮ２からなる三つの押しボタンの択一選択構成も、操作手段１６と同様である。
つまり、操作手段２３は、前記操作手段１６より、調整ダイアル２２を除いた構成とされている。
【００５４】
また、操作手段２３と、方向制御弁２５との間は、制御回路２４を介して信号伝達可能に接続されている。そして、操作手段２３の操作により、次のようにして、方向制御弁２５が作動される。
操作手段２３から制御回路２４に向けて、スイッチ仕組み上のボタン選択状態に応じて切換信号が出力される。
一方、制御回路２４は、入力される切換信号に基づいて、方向制御弁２５に駆動信号を送信する。つまり、ユーザにより操作手段２３が操作されると、制御回路２４に入力される切換信号が変化し、その変化に応じた駆動信号が制御回路２４より出力されて、方向制御弁２５が作動する。
【００５５】
浄水吐出ボタンＣ２が選択されているときは、制御回路２４より、方向制御弁２５に向けて、弁体２６を浄水吐出位置Ｃ３に回動させる駆動信号が出力される。そして、吐水管３より浄水が吐出される。
一方、原水吐出ボタンＰ２が選択されているときは、制御回路２４より、方向制御弁２５に向けて、弁体２６を原水吐出位置Ｐ３に回動させる駆動信号が出力される。そして、吐水管３より原水が吐出される。
また、止水ボタンＮ２が選択されているときは、制御回路２４より、方向制御弁２５に向けて、弁体２６を止水位置Ｎ３に回動させる駆動信号が出力される。そして、吐水管３が止水される。
【００５６】
給水装置３０においても、吐出管３と連通する配管内で、浄水の滞留により雑菌が繁殖する不具合を防止するための構成が、方向切換弁２５に設けられている。この構成は、前述した浄水吐出、原水吐出、止水の三切換位置の配置構成に関するものである。
【００５７】
図５（ａ）、図５（ｂ）に示すように、弁体２６の全回動範囲は、浄水吐出位置Ｃ３と止水位置Ｎ３とを両端とする範囲とされている。この回動範囲は、具体的には、前述したように、２７０度に設定されている。
加えて、浄水吐出位置Ｃ３と止水位置Ｎ３との間に、原水吐出位置Ｐ３が設けられている。
【００５８】
このため、浄水を吐出した後に止水を行う際には、弁体２６が必ず原水吐出位置Ｐ３を通過することになり、浄水吐出→原水吐出→止水となって、必ず原水が吐出される。つまり、浄水吐出後に必ず原水吐出が行われて、吐水管３や出口側経路８内の滞留水を原水とできる。したがって、給水装置３０内（特に浄水器２内）での雑菌の繁殖防止を図ることができる。
【００５９】
なお、方向制御弁２５の構成は、回動式の弁体２６を備える本実施の形態に限定されるものではない。
３ポート３位置切換弁であると共に、弁体の切換位置が浄水吐出位置と止水位置とを両端とし、浄水吐出位置と止水位置との間に原水吐出位置が設けられる構成であれば、他の構成であっても良い。
【００６０】
次に、図６を用いて、第四の実施の形態である給水装置４０を説明する。
給水装置４０は、給水装置１０が単一の原水源１にのみ接続されるのに対して、第二の原水源としての給湯器２８にも接続されている。給湯器２８は、水道管等の原水源より原水（水道水）の供給を受け、温水を吐出する。この温水は、浄水器を経た水ではないので、浄水器による浄化作用は受けておらず、本明細書では原水の一種として扱う。
本明細書においては、給水装置４０を基準とするため、原水源１と、温水の供給源である給湯器２８とを、異なる原水源として扱う。
【００６１】
給水装置４０には、給水装置１０に備える前記各流路５・６・７・８と止水弁１１・１２）とに加えて、給湯器２８からの温水（原水）を導入するための第二入口側流路２９が設けられている。第二入口側流路２９は、給湯器２８と出口側流路８とを連通する配管である。
また、第二入口側流路２９を開閉する手段（第二入口側流路開閉手段）として、電磁式の止水弁３１が設けられている。止水弁３１は、前記止水弁１１・１２と同様の構成である。
【００６２】
給水装置４０においては、原水源１および給湯器２８から原水の供給を受ける。以下では、両原水を区別するため、原水源１からの供給水を冷水とし、給湯器２８からの供給水を温水と記載する。冷水および温水はいずれも原水である。また、冷水を浄水器２にて浄化したものを浄水とする。
【００６３】
給水装置４０においては、冷水吐出、浄水吐出、止水に加えて、温水吐出が可能である。
まず、止水弁３１を閉鎖した状態では、給水装置４０の構成は実質的に前記給水装置１０と同様の構成であり、止水弁１１・１２の開閉の組合せにより、吐水管３からの冷水吐出、浄水吐出、止水が切換られる。
一方、止水弁１１・１２を閉鎖し、止水弁３１を開放した状態では、吐水管３より温水が吐出される。また、止水弁１１・１２・３１をすべて閉鎖すれば、吐水管３からの吐水が停止（つまり止水）される。
【００６４】
また、給水装置４０には、止水弁１１・１２・３１を統括操作する操作手段３２が設けられている。つまり、操作手段３２は、止水弁１１・１２の操作手段と止水弁３１の操作手段とを、兼用する構成である。
操作手段２３には、浄水吐出、冷水吐出、温水吐出、止水の四切換位置に対応する前記スイッチ仕組みが設けられている。本実施の形態では、このスイッチ仕組みは、浄水吐出ボタンＣ４、冷水吐出ボタンＰ４、止水ボタンＮ４、温水吐出ボタンＨからなる四つの押しボタンを備えている。加えて、この押しボタンは、同時に複数のボタンを押し込むことはできない構成として、四つのうちいずれかのボタンが択一選択されるものとなっている。
【００６５】
操作手段３２と、止水弁１１・１２・３１との間は、制御回路３４を介して信号伝達可能に接続されている。そして、操作手段３２の操作により、次のようにして、止水弁１１・１２・３１が作動する。
操作手段３２から制御回路３４に向けて、前記スイッチ仕組み上のボタン選択状態に応じて切換信号が出力される。
一方、制御回路３２は、入力される切換信号に基づいて、止水弁１１・１２・３１のそれぞれに駆動信号を出力する。つまり、ユーザにより操作手段３２が操作されると、制御回路３４に入力される切換信号が変化し、その変化に応じた駆動信号が制御回路３４より出力されて、止水弁１１・１２・３１が作動する。
【００６６】
操作手段３２において、浄水吐出ボタンＣ４、冷水吐出ボタンＰ４、止水ボタンＮ４のいずれかが選択されている場合は、制御回路３４から止水弁３１に向けて、第二入口側流路２９の閉鎖を指令する駆動信号が出力される。つまり、給湯器２８からの温水が給水装置４０内に導入されることを阻止する。
【００６７】
また、このとき同時に、制御回路３４から止水弁１１・１２のそれぞれに向けても、駆動信号が出力される。
浄水吐出ボタンＣ４が選択されているときは、制御回路３２より、止水弁１１に向けて原水側流路６の閉鎖を指令する駆動信号が出力され、止水弁１２に向けては浄水側流路７の開放を指令する駆動信号が出力される。そして、吐水管３より浄水が吐出される。
一方、冷水吐出ボタンＰ４が選択されているときは、制御回路３２より、止水弁１１に向けて原水側流路６の開放を指令する駆動信号が出力され、止水弁１２に向けては浄水側流路７の閉鎖を指令する駆動信号が出力される。そして、吐水管３より冷水が吐出される。
また、止水ボタンＮ４が選択されているときは、制御回路３２より、止水弁１１に向けて原水側流路６の閉鎖を指令する駆動信号が出力されると共に、止水弁１２に向けても浄水側流路７の閉鎖を指令する駆動信号が出力される。そして、吐出管３が止水される。
【００６８】
一方、操作手段３２において、温水吐出ボタンＨが選択されている場合は、制御回路３４から止水弁１１・１２に向けて、それぞれ、原水側流路６および浄水側流路７の閉鎖を指令する駆動信号が出力される。つまり、原水源１からの冷水が給水装置４０内に導入されることを防止する。
また、このとき同時に、制御回路３４から止水弁３１に向けて、第二入口側流路２９を開放を指令する駆動信号が出力される。そして、吐出管３から温水が吐出される。
【００６９】
以上構成により、給水装置４０においては、異なる原水（冷水および温水）の吐出切換も、単独の操作手段３２により簡便に行うことができる。
また、出口側流路８および吐水管３は、原水（冷水および温水）吐出および浄水吐出における兼用の吐出経路となっているため、原水を吐出すれば、出口側経路の滞留水を原水とでき、装置内（特に浄水器２内）での雑菌の繁殖防止を図れる。
【００７０】
前記の第一から第三の実施の形態においては、浄水からなる滞留水を更新する機能が設けられている。
給水装置１０においては、操作手段９の構成により、浄水吐出後に必ず原水が吐出されるものとなっている。また、給水装置２０では、制御手順５０に基づく制御回路１８の処理により、浄水吐出後に必ず原水が吐出される。また、給水装置３０では、方向制御弁２５の構成により、浄水吐出後に必ず原水が吐出される。
これに対して、給水装置４０には、本実施の形態では、原水の吐出頻度に関わらず、浄水からなる滞留水を更新する機能は、設けられていない。本実施の形態の構成に代えて、複数の原水源に接続される給水装置４０においても、前記更新機能を備えるものとしてもよい。
【００７１】
また、給水装置４０においては、止水弁１１・１２・３１を用いて、浄水吐出、冷水吐出、温水吐出、止水の四切換を行う構成としているが、切換手段としては、この構成に限定されるものではない。
例えば、給水装置の構成として、入口側流路５、第二入口側流路２９、原水側流路６、浄水側流路７を、４ポート４位置切換弁を介して切換・遮断可能に構成すると共に、該切換弁の操作手段や制御回路を設けるようにしても良い。ここで、４ポートは前記流路５・２９・６・７に対応し、四位置は浄水吐出、冷水吐出、温水吐出、止水の四切換に対応している。
【００７２】
また、前記の第一から第四の実施の形態においては、浄水器２をそれぞれ給水装置１０・２０・３０・４０に含めない構成としているが、浄水器２を含めて給水装置を構成するものとしてもよい。
特に、浄水器を含めた給水装置をユニット構成とすることで、取付け作業時の作業工数を短縮したり、取付けスペースの縮小を図ることができる。
【００７３】
【発明の効果】
請求項１記載の如く、単独の原水源から原水を導入する入口側流路と、入口側流路から分岐する原水側流路と、入口側流路から分岐し浄水器を経由する浄水側流路と、原水側流路および浄水側流路の合流部から吐水管に至る出口側流路と、
原水側流路を開閉する原水側流路開閉手段と、浄水側流路を開閉する浄水側流路開閉手段と、各開閉手段を操作する単独の操作手段と、
を備えるので、
ユーザが給水装置を利用する際に、原水を吐出することがあれば、吐水管や出口側経路内の滞留水を原水とでき、装置内（特に浄水器内）での雑菌の繁殖防止を図れる。また、単独の操作手段により給水装置の操作を行う構成のため、操作が容易である。
【００７４】
請求項２記載の如く、第二の原水源と出口側流路とを連通する第二入口側流路と、第二入口側流路を開閉する第二入口側流路開閉手段とを備え、
前記単独の操作手段は第二入口側流路開閉手段の操作手段を兼用するので、
異なる原水（冷水および温水）の吐出切換も、単独の操作手段により簡便に行うことができる。
また、出口側流路および吐水管は、原水（冷水および温水）吐出および浄水吐出における兼用の吐出経路となっているため、原水を吐出すれば、出口側経路の滞留水を原水とでき、装置内（特に浄水器内）での雑菌の繁殖防止を図れる。
【００７５】
請求項３記載の如く、原水側流路開閉手段および浄水側流路開閉手段の操作手段に、浄水吐出、原水吐出、止水の三切換位置で切換を行う切換用レバーを設け、
切換用レバーの可動範囲は、浄水吐出位置と止水位置とを両端とする範囲とし、浄水吐出位置と止水位置との間に原水吐出位置を設けたので、
浄水を吐出した後に止水を行う際には、切換用レバーが必ず原水吐出位置を通過することになり、浄水吐出→原水吐出→止水となって、必ず原水が吐出される。つまり、浄水吐出後に必ず原水吐出が行われて、吐水管や出口側経路内の滞留水を原水とできる。したがって、給水装置内（特に浄水器内）での雑菌の繁殖防止を図ることができる。
【００７６】
請求項４記載の如く、原水側流路開閉手段および浄水側流路開閉手段を、電磁式アクチュエータを用いて構成すると共に、
前記操作手段の操作による信号出力に基づいて、原水側流路開閉手段および浄水側流路開閉手段を作動させる制御回路を設けると共に、該制御回路に制御手順を記憶するメモリを備え、
該制御回路は、浄水吐出後に止水を指令する信号を受けた場合には、前記制御手順に従って、まず浄水側流路開閉手段に浄水側流路の閉鎖指令を出力し、次に原水側流路開閉手段に原水側流路の開放指令を出力した後、一定時間経過後に、原水側流路開閉手段に原水側流路の閉鎖指令を出力するので、
浄水を吐出した後に止水を行う際には、必ず原水吐出が行われて、吐水管や出口側経路内の滞留水を原水とできる。加えて、このときの原水吐出時間を一定時間確保することで、原水の吐出量を十分確保することができ、滞留水の更新が確実となる。
【００７７】
請求項５記載の如く、原水側流路開閉手段および浄水側流路開閉手段を、入口側流路が原水側流路および浄水側流路に分岐する部位に設ける、単一の方向制御弁で構成すると共に、
該方向制御弁に、原水吐出、浄水吐出、止水の三切換位置を切換可能に可動する弁体を設け、該弁体の可動範囲を浄水吐出位置と止水位置とを両端とし、浄水吐出位置と止水位置との間に原水吐出位置を設けたので、
浄水を吐出した後に止水を行う際には、弁体が必ず原水吐出位置を通過することになり、浄水吐出→原水吐出→止水となって、必ず原水が吐出される。つまり、浄水吐出後に必ず原水吐出が行われて、吐水管や出口側経路内の滞留水を原水とできる。したがって、給水装置内（特に浄水器内）での雑菌の繁殖防止を図ることができる。
【００７８】
請求項６記載の如く、前記浄水器を備えるので、
浄水器を含めた給水装置をユニット構成とすることで、取付け作業時の作業工数を短縮したり、取付けスペースの縮小を図ることができる。
【図面の簡単な説明】
【図１】給水装置１０の構成図である。
【図２】給水装置２０の構成図である。
【図３】制御手順５０を示すフロー図である。
【図４】給水装置３０の構成図である。
【図５】方向制御弁２５の断面図である。
【図６】給水装置４０の構成図である。
【符号の説明】
１  原水源
５  入口側流路
６  原水側流路
７  浄水側流路
８  出口側流路
９  操作手段
１０  給水装置
１１  止水弁
１２  止水弁
１３  切換用レバー
１４  制御回路
２８  温水源
２９  第二入口側流路
Ｃ１  浄水吐出位置
Ｐ１  原水吐出位置
Ｎ１  止水位置
【図１】
2004324096.tif 000003
【図２】
2004324096.tif 000004
【図３】
2004324096.tif 000005
【図４】
2004324096.tif 000006
【図５】
2004324096.tif 000007
【図６】
2004324096.tif 000008